(57)【要約】【課題】  新機能の導入コストを低減して快適性または省エネルギー性を向上させた空気調和機を提供する。【解決手段】  本発明は、室内に設置される室内ユニットを備える空気調和機において、前記室内の情報を検知するセンサと、該センサの検知した検知情報に基いて前記室内ユニットを制御する制御部と、を備え、前記センサは、前記室内の電灯部に設けられることを特徴とする。【選択図】  図１
2015190667.tif 000002
【特許請求の範囲】
【請求項１】
室内に設置される室内ユニットを備える空気調和機において、
前記室内の情報を検知するセンサと、該センサの検知した検知情報に基いて前記室内ユニットを制御する制御部と、を備え、
前記センサは、前記室内の電灯部に設けられることを特徴とする空気調和機。
【請求項２】
請求項１に記載の空気調和機において、
前記センサは、人体動作を検知する人感センサであって、
前記電灯部は、前記センサが検知した人検知情報に基いて制御されることを特徴とする空気調和機。
【請求項３】
請求項１に記載の空気調和機において、
前記電灯部は、前記室内の天井に設置されているとともに、下方へ引くことで前記電灯部のＯＮ／ＯＦＦを切り替える紐状スイッチを有し、
前記センサは、前記室内の温度を検知する温度センサであって、前記紐状スイッチに設けられることを特徴とする空気調和機。
【請求項４】
請求項１に記載の空気調和機において、
前記室内ユニットは、前記室内ユニットに制御情報を送信するワイヤレスリモコンに対応した受信部を備え、
前記制御部は、前記電灯部に設けられるとともに、前記検知情報に基き前記室内ユニットの制御内容を決定し、前記ワイヤレスリモコンに対応する制御信号で前記制御内容を前記受信部に送信することを特徴とする空気調和機。
【請求項５】
室内に設置される複数の室内ユニットと、該複数の室内ユニットを制御する集中コントローラと、前記複数の室内ユニットおよび前記集中コントローラを接続する通信線とを備えた空気調和機において、
前記室内の情報を検知するセンサが、前記室内の電灯部に設けられ、前記センサの検知情報は前記通信線を介して前記集中コントローラへ送信され、前記集中コントローラは前記検知情報に基いて前記複数の室内ユニットを制御することを特徴とする空気調和機。
【請求項６】
請求項５に記載の空気調和機において、
前記センサは、室内の明るさを検知する照度センサであって、
前記集中コントローラは、前記照度センサの検知情報に基いて前記電灯部の光度を制御することを特徴とする空気調和機。
【発明の詳細な説明】
【技術分野】
【０００１】
本発明は、空気調和機に関するものである。
【背景技術】
【０００２】
空気調和機は快適な制御性の向上や省エネルギー化の市場要求に対応すべく、人感センサ等のセンサを用いたものが存在する。
【０００３】
例えば、特許文献１では複数台の室内機がそれぞれに設けられている人感センサの検知情報を把握し、この情報に基いて制御部が圧縮機を制御することが提案されている。
【先行技術文献】
【特許文献】
【０００４】
【特許文献１】特開２０１０−１５９９０５号公報
【発明の概要】
【発明が解決しようとする課題】
【０００５】
しかし、特許文献１の空気調和機のような新機能を導入するためには、機能を持たない既設の空気調和機は全て新機能を搭載した空気調和機へ変更しなければならず、イニシャルコストが高額となる。特にオフィルビル等の中・大規模物件ではその費用は高額となるため、新規の効果的な機能があっても即時導入することは困難であった。
【０００６】
また、室内ユニットが天井埋め込み型や、床置き形の場合、本体に人感センサ等を搭載することが困難であり、また、設置場所によって、適切な検知ができるように都度検出ロジックを見直さなければならない。
【０００７】
本発明は、新機能の導入コストを低減して快適性または省エネルギー性を向上させた空気調和機を提供することを目的とする。
【課題を解決するための手段】
【０００８】
上記課題を解決するために、本発明は、室内に設置される室内ユニットを備える空気調和機において、前記室内の情報を検知するセンサと、該センサの検知した検知情報に基いて前記室内ユニットを制御する制御部と、を備え、前記センサは、前記室内の電灯部に設けられることを特徴とする。
【発明の効果】
【０００９】
本発明によれば、新機能の導入コストを低減して快適性または省エネルギー性を向上させた空気調和機を提供することができる。
【００１０】
上記した以外の課題、構成及び効果は、以下の実施形態の説明により明らかにされる。
【図面の簡単な説明】
【００１１】
【図１】本発明の実施例１に係る空気調和機を示す全体構成図。
【図２】本発明の実施例２に係る集中コントローラを備えた空気調和機を示す全体構成図。
【図３】本発明の実施例に係る電灯部の制御部または通信機能部、およびセンサ部を示す図。
【発明を実施するための形態】
【００１２】
以下、本発明に係る実施例について図面を用いて説明する。
【実施例１】
【００１３】
図１は、室内ユニットにワイヤレスリモコンの受光部を搭載した空気調和機における実施例である。
【００１４】
空気調和機は、室外ユニット(１０１)と１台以上の室内ユニット(１０３)で構成しており、各ユニットは通信線(１０２)で接続しており、この通信線を介して各ユニット間の制御情報を交換している。
【００１５】
また室内ユニット(１０３)はワイヤレスリモコン受光部(１０４)を搭載しており、ユーザにより操作されるワイヤレスリモコン(１０５)からの設定内容に従い運転を実施する。
【００１６】
室内ユニット(１０３)は、図示していないが、室内の空気を吸い込む吸込み口と、内部に冷媒が流れ吸込んだ空気と冷媒とを熱交換させる熱交換器と、熱交換された空気を吹き出す吹き出し口と、この吹き出し口の風向を調整する風向板と、を備えている。
【００１７】
一方、室内に設置されている電灯部(２０１)には、室内における人体動作を検知する人感センサ(２０３)が搭載されている。センサからの情報は、制御部(２０２)へ取り込み、室内における人間の活動状態を把握する。電灯部(２０１)は、制御部(２０２)によって人感センサ(２０３)の検知情報に基き制御される。
【００１８】
具体的には、人感センサ(２０３)の検出結果から、不在状態から人間の活動状態を一定時間検出したら、電灯をＯＦＦからＯＮへ制御し、不在状態を一定時間検出することで、電灯をＯＮからＯＦＦする自動制御機能を有する。
【００１９】
電灯部(２０１)には紐状部材が吊り下げられており、ユーザはこれを下方へ引くことで電灯部(２０１)のＯＮ／ＯＦＦを切り替えることができ、紐状スイッチとして機能する。紐状スイッチの先端部には温度センサおよび赤外線指令送信部(２０４)を備えている。
【００２０】
図３は、室内から電灯部(２０１)を見上げた図および、室内側面部から見た図を並べたものであり、電灯部(２０１)に搭載する制御部または通信機能部(２０２)、人感センサおよび照度センサ(２０３)と、ＯＮ／ＯＦＦを実施するための紐状スイッチの先端部に搭載した温度センサおよび赤外線指令送信部(２０４)を示した構成図である。
【００２１】
温度センサの情報は、制御部(２０２)へ取り込み、人感センサ(２０３)の情報を赤外線指令送信部(２０４)を介して室内ユニット(１０３)へ情報を送信する。室内ユニット(１０３)は、人感センサ(２０３)からの室内の人間の活動状態および温度センサ(２０４)の検知情報に基き制御される。
【００２２】
つまり、上記検知情報の時間推移を計測し、人間の活動量の増加および温度センサが上昇している場合は、設定温度を下げ、風量を増加し、空気循環量を増加させ、活動量が多い位置に偏りがあることを検出した場合はその方向に向くように風向板を制御する運転を判定し、制御を実施する。
【００２３】
そして、制御部(２０２)は、照度センサ(２０３)の情報を元に、日中の太陽光が十分に取り込めている間は、電灯部の光度を抑える制御を実施することで、省エネルギーを目的とした自動制御を実施することができる。
【００２４】
電灯部(２０１)の制御と同様に、人感センサ(２０３)の検出結果から、不在状態から人間の活動状態を一定時間検出したら、室内ユニットの運転を開始し、不在状態を一定時間検出することで、運転を停止する機能を有し、さらに、活動量が低下した状態を一定時間検出した場合は、設定温度または、現在の室内温度に対して、設定温度を上げる、または風量を弱くするような運転をセーブするような制御を自動的に実施する。
【００２５】
ここで、従来、空気調和機に設けられる温度センサは室内ユニットに取り付けられるため、室内ユニットが天井に設置される天井埋め込み型や、室内壁際に配置される床置き形などの場合、温度センサは、室内における人の活動域から離れた位置で温度を検知している。
【００２６】
これに対し、本実施例のように温度センサ(２０４)を、電灯部(２０１)から吊り下げられた紐状スイッチに取り付けることで、温度センサ(２０１)は人の活動域により近い位置で温度を検知することができるため、この検知温度に基いて室内ユニットを制御することで、より快適性および省エネルギー性を向上させることができる。
【００２７】
なお、前述の室内ユニットの制御内容を決定する判定処理は電灯部(２０１)の制御部(２０２)が有していてもかまわない。この場合は、制御部(２０２)が決定する制御内容は、ワイヤレスリモコン(１０５)が室内ユニット(１０３)に対して指令を実施する際に送信する制御内容(発停、運転モード、風量、設定温度、風向設定)で決定する。そして、制御部(２０２)は、ワイヤレスリモコン(１０５)に対応した制御信号により、決定した制御内容を赤外線指令送信部(２０４)を介して送信する。
【００２８】
赤外線通信の届く範疇の室内ユニット(１０３)が影響を与えることの出来るユニットであり、この指令結果が及ぼす温度センサ(２０４)の変化を学習し、次の制御内容へ反映する。
【００２９】
上記構成では、各センサを室内ユニット(１０１)の機外である電灯部(２０１)に設け、既存のワイヤレスリモコン(１０５)と室内ユニットの受光部(１０４)との送受信構成を利用することで、空気調和機本体へのセンサの追加改造や、空気調和機本体の交換などが発生しないため、新機能追加に伴う導入コストを低減することができる。
【００３０】
以上のように本実施例によれば、機外である電灯部(２０１)に人感センサや温度センサ等の室内の情報を検知するセンサを設けるため、既存の空気調和機を利用して新機能を搭載できる。したがって、導入コストを低減して空気調和機の快適性、省エネルギー性を向上させることができる。
【００３１】
また、電灯部(２０１)に設けた人感センサ(２０３)の検知情報に基いて電灯部(２０１)のＯＮ／ＯＦＦを切り替える制御や、光度を調整する制御を行い、室内ユニット(１０１)と共用して人感センサ(２０３)の検知情報を利用することで、さらにコスト低減を図ることができる。
【００３２】
また、電灯部(２０１)に紐状スイッチが設けられている場合、温度センサ(２０４)を紐状スイッチに設けることで、室内空間における人の活動域により近い適切な位置で温度を検知することができる。
【実施例２】
【００３３】
図２は、遠隔から複数の室内ユニット(１０１)の制御を行う集中コントローラを接続している空調システムにおける実施例である。
【００３４】
空気調和機は、室外ユニット(１０１)と１台以上の室内ユニット(１０３)および、集中コントローラ(３０１)で構成しており、各機器は通信線(１０２)で接続しており、この通信線を介して各機器間の制御情報を交換している。
【００３５】
また集中コントローラ(３０１)から１台以上の室内ユニットに対して任意の設定内容を指令することで、運転を実施する。
【００３６】
一方電灯部(２０１)には、人感センサおよび照度センサ(２０３)が搭載されており、また、電灯部(２０１)のＯＮ／ＯＦＦを実施するための紐状スイッチの先端部に温度センサ(２０４)を備えており、これらのセンサからの情報は、通信機能部(２０２)へ取り込み、空調システムの通信線(１０２)を介して集中コントローラ(３０１)へ送信する。
【００３７】
集中コントローラ(３０１)は、受信したセンサ情報から室内における人間の活動状態と室温を把握する。集中コントローラ(３０１)は電灯部(２０１)および、室内ユニット(１０３)の位置関係を予め把握しており、位置情報と受信したセンサ情報からその室内における最適な制御内容(発停、運転モード、風量、設定温度、風向設定)を決定し、その制御内容にて通信線(１０２)を介して各室内ユニット(１０３)へ指令する。
【００３８】
集中コントローラ(３０１)は、人感センサ(２０３)からの室内の人間の活動状態および温度センサ(２０４)の情報の時間推移を計測し、人間の活動量の増加および室温が上昇している場合は、設定温度を下げ、風量を増加し、空気循環量を増加させ、活動量が多い位置に偏りがあることを検出した場合はその方向に向くように風向板を制御する運転を判定し、制御を実施することで、室内の人間の行動に合わせた最適な制御を自動的に実施する。
【００３９】
また人感センサ(２０３)の検出結果から、不在状態から人間の活動状態を一定時間検出したら、室内ユニットの運転を開始し、不在状態を一定時間検出することで、運転を停止する機能を有し、さらに、活動量が低下した状態を一定時間検出した場合は、設定温度または、現在の室内温度に対して、設定温度を上げる、または風量を弱くするような運転をセーブするような制御を自動的に実施することで、省エネルギーを目的とした最適な運転制御を自動的に実施することもできる。
【００４０】
また、通信機能部(２０２)は集中コントローラからの電灯部(２０１)に対しての光量又はＯＮ／ＯＦＦの指令内容を電灯部(２０１)へ指示する機能を有することで、室内の電灯制御と空調管理を一元管理することができる。
【００４１】
集中コントローラは、人感センサ(２０３)の情報を元に、不在状態から人間の活動状態を一定時間検出したら、電灯をＯＦＦからＯＮへ制御し、不在状態を一定時間検出することで、電灯をＯＮからＯＦＦし、照度センサ(２０３)の情報を元に、日中の太陽光が十分に取り込めている間は、電灯部の光度を抑える制御を実施することで、省エネルギーを目的とした自動制御を実施することができる。
【００４２】
なお、一部屋に複数台の室内ユニットが設置されている場合にも、一部屋に一つの照度センサが設置されていれば集中コントローラに照度センサの検知情報が集約されるため、集中コントローラは同じ部屋に配置される複数の室内ユニットを照度センサの検知情報に基いて制御することができる。
【符号の説明】
【００４３】
１０１  室外ユニット
１０２  室外ユニット−室内ユニット間通信線
１０３  室内ユニット
１０４  ワイヤレスリモコン受光部
１０５  ワイヤレスリモコン
２０１  電灯部本体
２０２  制御部または通信機能部
２０３  人感センサおよび照度センサ
２０４  温度センサ及び赤外線指令送信部
３０１  集中コントローラ
【図１】
2015190667.tif 000003
【図２】
2015190667.tif 000004
【図３】
2015190667.tif 000005